(57)【要約】【課題】  容器本体の口筒部への自在な着脱及び収容可能な内容量の減少防止を図ることができ、しかも内容物をそのまま注出すること及び一定量の内容物を高精度に注出することを可能とした計量器付き注出ノズルを創出することを課題とする。【解決手段】  口筒部（２）に接続される接続部（１２）、接続部（１２）から延設されて口筒部（２）から注出される内容物（４０）が通過する流路（１５）を備えた内ノズル（１３）及び内ノズル（１３）の外側に延設されて内ノズル（１３）との間に計量室（１６）を形成する外ノズル（１４）を有して構成されるノズル本体（１１）と、外ノズルの開口端（１４ａ）を開閉する蓋体（２０）と、進退自在に設けられて内ノズル（１３）の開閉を行う中栓（３４）と、蓋体（２０）の開閉操作に連動して中栓（３４）による内ノズル（１３）の開閉を行わせしめる連動手段（３０）と、を有する構成とする。【選択図】  図９
2014148321.tif 000002
【特許請求の範囲】
【請求項１】
容器本体（１）に設けられた口筒部（２）に接続されて前記容器本体（１）内に収容されている内容物（４０）を注出する計量器付き注出ノズル（１０）であって、
前記口筒部（２）に接続される接続部（１２）、該接続部（１２）から延設されて前記口筒部（２）から注出される内容物（４０）が通過する流路（１５）を備えた内ノズル（１３）及び前記内ノズル（１３）の外側に延設されて前記内ノズル（１３）との間に計量室（１６）を形成する外ノズル（１４）を有して構成されるノズル本体（１１）と、前記外ノズルの開口端（１４ａ）を開閉する蓋体（２０）と、進退自在に設けられて前記内ノズル（１３）の開閉を行う中栓（３４）と、前記蓋体（２０）の開閉操作に連動して前記中栓（３４）による内ノズル（１３）の開閉を行わせしめる連動手段（３０）と、を有することを特徴とする計量器付き注出ノズル。
【請求項２】
連動手段（３０）を、蓋体（２０）の下面に設けた支持受け部材（３１）と、一端に中栓（３４）を有すると共に他端が前記支持受け部材（３１）に対して揺動自在に軸支された連結部材（３２）とにより構成した請求項１記載の計量器付き注出ノズル。
【請求項３】
内ノズル（１３）及び中栓（３４）を共に先端に向かって縮径する形状に形成し、先端（１３ａ）に移動した中栓（３４）が内ノズル（１３）を嵌合することにより閉栓する構成とした請求項１又は２記載の計量器付き注出ノズル。
【請求項４】
連結部材（３２）と中栓（３４）とが連結する部分に肉薄部（３２ｂ）を設けた請求項２又は３記載の計量器付き注出ノズル。
【請求項５】
蓋体（２０）と外ノズル（１４）とをヒンジ（１９）を介して開閉自在に連結した請求項１乃至４のいずれか一項に記載の計量器付き注出ノズル。
【請求項６】
外ノズル（１４）の開口端（１４ａ）の内壁に密着可能な第１インナーリング（２１）を蓋体（２０）の下面に設けた請求項１乃至５のいずれか一項に記載の計量器付き注出ノズル。
【請求項７】
蓋体（２０）を閉蓋状態とすることによりノズル本体（１１）内に予備室（１７）を形成して内容物（４０）の計量を可能とする計量モードと、前記蓋体（２０）を半開き状態とすることにより容器本体（１）内の内容物（４０）の直接注出を可能とする直接注出操作モードと、前記蓋体（２０）をさらに開いた全開状態とすることにより、前記内ノズル（１３）が閉栓されて前記予備室（１７）内に貯蔵された内容物（４０）のみの注出を可能とする計量注出操作モードとを有する請求項１乃至６のいずれか一項に記載の計量器付き注出ノズル。
【請求項８】
蓋体（２０）の姿勢を、半開き状態に保持する保持手段を備える請求項７記載の計量器付き注出ノズル。
【請求項９】
保持手段を、外ノズル（１４）の開口端（１４ａ）と、第１インナーリング（２１）のヒンジ（１９）側となる位置に形成され且つ前記開口端（１４ａ）が掛合する掛合凹部（２１ａ）とにより構成した請求項８記載の計量器付き注出ノズル。
【請求項１０】
第１インナーリング（２１）のヒンジ（１９）側の先端に、外ノズル（１４）の開口端（１４ａ）に当接する支持部（２１ｂ）を設けた請求項７乃至９のいずれか一項に記載の計量器付き注出ノズル。
【請求項１１】
接続部（１２）を、容器本体（１）の口筒部（２）又は該口筒部（２）に装着される容器側蓋体（３）の注出部（３ａ）に対してネジ結合又はアンダーカット結合により組み付く構成とした請求項１乃至９のいずれか一項に記載の計量器付き注出ノズル。
【請求項１２】
接続部（１２）を、内面にネジ溝（１２ｃ）又は係止凸部を備えた外壁部（１２ａ）と、該外壁部（１２ａ）の内側に前記口筒部（２）又は前記注出部（３ａ）の内壁に密着する第２インナーリング（１２ｂ）とを備える請求項１１記載の計量器付き注出ノズル。
【請求項１３】
少なくとも蓋体（２０）、内ノズル（１３）及び外ノズル（１４）を、透明又は半透明の樹脂材料で形成した請求項１乃至１２のいずれか一項に記載の計量器付き注出ノズル。
【発明の詳細な説明】
【技術分野】
【０００１】
本発明は、容器本体内に収容されている内容物をそのまま注出し、又は必要な一定量を正確に計量して注出する計量器付き注出ノズルに関する。
【背景技術】
【０００２】
液状洗剤や粉末洗剤などの内容物を一定量だけ注出する先行技術として、例えば以下の特許文献１、特許文献２及び特許文献３に示されるような定量栓体に関する技術が提案されている。
【０００３】
図１０は従来例としての定量栓体を示す断面図である。これらの先行技術は、いずれも基本的な構造は同じで図１０に示すように、内容物が充填される容器１１０の開口部１１１に定量栓体１００を取り付けた構成である。定量栓体１００は流入口１０１及び排出口１０２を有するカップ状本体部１０３を備えている。このカップ状本体部１０３は、仕切部材１０４によって流入口１０１につながる予備室１０５、及び排出口１０２と予備室１０５とにつながる計量室１０６を有している。
【０００４】
容器１１０を傾けると、容器１１０内の内容物が流入口１０１よりカップ状本体部１０３内の予備室１０５に入り込む。同時に計量室１０６内に保持されていた一定量の内容物が排出口１０２から排出される。この後、容器１１０を元の姿勢に戻すと、予備室１０５内の内容物は計量室１０６に移るものの、計量室１０６の容積をオーバーする過剰の内容物は流入口１０１から容器１１０内に戻ることになる。これにより、常に一定量の内容物を排出させることが可能となっている。
【先行技術文献】
【特許文献】
【０００５】
【特許文献１】実全昭６０−１５４２５２公報
【特許文献２】実全昭６１−１１７１５３公報
【特許文献２】実公平６−３４２９５公報
【発明の概要】
【発明が解決しようとする課題】
【０００６】
しかし、上記従来の先行技術では、あらかじめ定量栓体１００が容器１１０の内部に一体に設けたパッケージ構成であり、内容物を使い切った後には定量栓体１００は容器１１０と共に廃棄されることになり、資源の有効利用性が低いという問題がある。
【０００７】
また上記従来の先行技術では、定量栓体１００を容器１１０の内側に設ける必要があるため、その分だけ容器１１０内に収容可能な内容物の内容量が減ることになり、あるいは同じ内容量を確保するためには容器１１０の外形を大きくする必要があるという問題がある。
【０００８】
また上記従来の先行技術では、常に一定量の内容物しか注出することができない構成である。このため、例えば内容物が液状洗剤や粉末洗剤などの場合には、洗濯機の槽は一定容積であることから、洗濯物の量の多少に応じて洗剤の量を調整できることが好ましいが、上記従来の先行技術では好みに応じた量の洗剤を調整して注出することが難しいという問題がある。
【０００９】
さらに上記従来の先行技術では、容器１１０の傾き角度によっては、流入口１０１からカップ状本体部１０３内の予備室１０５に入り込んだ内容物が溢れ出てしまい、仕切部材１０４を乗り越えてそのまま排出口１０２から排出されることがある。その結果、定量注出されるべき内容物の容量が容器１１０の傾き角度によって異なってしまうという問題、すなわち定量注出の精度が低下しやすいという問題がある。
【００１０】
本発明は、上記した従来技術における問題点を解消すべく、容器本体の口筒部への自在な着脱及び収容可能な内容量の減少防止を図ることができ、しかも内容物をそのまま注出すること及び一定量の内容物を高精度に注出することを可能とした計量器付き注出ノズルを創出することを課題とする。
【課題を解決するための手段】
【００１１】
上記課題を解決するための手段のうち、本発明の主たる構成は、容器本体に設けられた口筒部に接続されて容器本体内に収容されている内容物を注出する計量器付き注出ノズルであって、
口筒部に接続される接続部、接続部から延設されて口筒部から注出される内容物が通過する流路を備えた内ノズル及び内ノズルの外側に延設されて内ノズルとの間に計量室を形成する外ノズルを有して構成されるノズル本体と、外ノズルの開口端を開閉する蓋体と、進退自在に設けられて内ノズルの開閉を行う中栓と、蓋体の開閉操作に連動して中栓による内ノズルの開閉を行わせしめる連動手段と、を有することを特徴とする、と云うものである。
【００１２】
本発明の計量器付き注出ノズルの主たる構成では、外ノズル先端の開口端に開閉自在に設けられた蓋体の姿勢を変更することにより、容器本体から内容物を注出する直接注出と、容器本体内の計量室から一定量の内容物を注出する定量注出とを達成し得る。
【００１３】
また本発明の他の構成は、本発明の主たる構成に、連動手段を、蓋体の下面に設けた支持受け部材と、一端に中栓を有すると共に他端が前記支持受け部材に対して揺動自在に軸支された連結部材とにより構成した、ことを加えたものである。
【００１４】
上記構成では、内ノズルの開閉を蓋体の開閉操作に連動させることが可能とする。
【００１５】
また本発明の他の構成は、上記構成に、内ノズル及び中栓を共に先端に向かって縮径する形状に形成し、先端に移動した中栓が内ノズルを嵌合することにより閉栓する構成とした、ことを加えたものである。
【００１６】
上記構成では、中栓を内ノズルの先端に向かって移動させるだけで、中栓による内ノズルの閉栓を確実に達成し得る。
【００１７】
また本発明の他の構成は、上記構成に、連結部材と中栓とが連結する部分に肉薄部を設けた、ことを加えたものである。
【００１８】
上記構成では、中栓と内ノズルとの間の接触抵抗を小さくすることによる摺動摩擦の低減を達成し得る。
【００１９】
また本発明の他の構成は、本発明の主たる構成に、蓋体と外ノズルとをヒンジを介して開閉自在に連結した、ことを加えたものである。
【００２０】
上記構成では、ノズル本体を構成する外ノズルの開閉を達成し得る。
【００２１】
また本発明の他の構成は、本発明の主たる構成に、外ノズルの開口端の内壁に密着可能な第１インナーリングを蓋体の下面に設けた、ことを加えたものである。
【００２２】
上記構成では、ノズル本体と蓋体とが組み合った部分からの内容物の漏れ防止を第１インナーリングによって達成し得る。
【００２３】
また本発明の他の構成は、本発明の主たる構成に、蓋体を閉蓋状態とすることによりノズル本体内に予備室を形成して内容物の計量を可能とする計量モードと、蓋体を半開き状態とすることにより容器本体内の内容物の直接注出を可能とする直接注出操作モードと、蓋体をさらに開いた全開状態とすることにより、内ノズルが閉栓されて予備室内に貯蔵された内容物のみの注出を可能とする計量注出操作モードとを有する、ことを加えたものである。
【００２４】
上記構成では、蓋体の開閉状態を調整することにより、計量モード、直接注出操作モード又は計量注出操作モードのいずれかへの遷移を達成し得る。
【００２５】
また本発明の他の構成は、上記構成に、蓋体の姿勢を、半開き状態に保持する保持手段を備える、ことを加えたものである。
【００２６】
上記構成では、蓋体の姿勢を、半開き状態に保持することで内容物の直接注出を達成し得る。
【００２７】
また本発明の他の構成は、上記構成に、保持手段を、外ノズルの開口端と、第１インナーリングのヒンジ側となる位置に形成され且つ開口端が掛合する掛合凹部とにより構成した、ことを加えたものである。
【００２８】
上記構成では、蓋体姿勢を半開き状態で保持することを簡単な構成で達成し得る。
【００２９】
また本発明の他の構成は、上記構成に、ヒンジ側となる第１インナーリングの先端に、外ノズルの開口端に当接する支持部を設けた、ことを加えたものである。
【００３０】
上記構成では、蓋体の姿勢を全開状態に維持することを簡単な構成で達成し得る。
【００３１】
また本発明の他の構成は、本発明の主たる構成に、接続部を、容器本体の口筒部又は口筒部に装着される容器側蓋体の注出部に対してネジ結合又はアンダーカット結合により組み付く構成とした、ことを加えたものである。
【００３２】
上記構成では、本体容器の口筒部又は容器側蓋体の注出部に対して着脱自在な注出ノズルを達成し得る。
【００３３】
また本発明の他の構成は、上記構成に、接続部を、内面にネジ溝又は係止凸部を備えた外壁部と、外壁部の内側に口筒部又は注出部の内壁に密着する第２インナーリングとを備える、ことを加えたものである。
【００３４】
上記構成では、外壁部の内側に注出部が位置し、さらにその内側に第２インナーリングが位置するようになり、接続部における内容液の漏れ防止を達成し得る。
【００３５】
また本発明の他の構成は、本発明の主たる構成に、少なくとも蓋体、内ノズル及び外ノズルを、透明又は半透明の樹脂材料で形成した、ことを加えたものである。
【００３６】
上記構成では、注出中のノズル本体内の様子を視覚的に確認し得る。
【発明の効果】
【００３７】
本発明は、上記した構成となっているので、以下に示す効果を奏する。
【００３８】
本発明の主たる構成においては、接続部が容器本体の口筒部に対して着脱自在であり、内容物を使い切った後には容器本体から注出ノズルだけを取り外して新たな容器に装着することにより、注出ノズルの繰り返し使用が可能となるため、資源の有効利用効率を高めることができる。また計量室や予備室を容器本体側に設ける必要がないため、容器本体の内容量の減少、あるいは内容量を確保するために容器本体が大型化することを防止することができる。
【００３９】
さらには定量注出時に、容器本体から計量室への内容物の流入を阻止することが可能となるため、定量注出の精度を高めることができる。
【００４０】
また本発明の主たる構成に、連動手段を、蓋体の下面に設けた支持受け部材と、一端に中栓を有すると共に他端が前記支持受け部材に対して揺動自在に軸支された連結部材とにより構成したことを加えた構成では、蓋体の開閉操作と内ノズルの開閉動作とが連動するため、直接注出及び定量注出を確実且つ高精度に行うことができる。
【００４１】
また上記構成に、内ノズル及び中栓を共に先端に向かって縮径する形状に形成し、先端に移動した中栓が内ノズルを嵌合することにより閉栓する構成としたことを加えた構成では、中栓を内ノズルに沿って進退移動させるという簡単な構成により、中栓による内ノズルの閉栓と開栓とを確実に行うことができる。
【００４２】
また上記構成に、連結部材と中栓とが連結する部分に肉薄部を設けたことを加えた構成では、中栓と内ノズルとの間の摺動摩擦を低減し、中栓が内ノズル内をスムーズに移動することが可能となるため、内ノズルの開閉を確実に行うことができる。
【００４３】
また本発明の主たる構成に、蓋体と外ノズルとをヒンジを介して開閉自在に連結したことを加えた構成では、外ノズルの開閉を容易且つ確実に行うことができる。
【００４４】
また本発明の主たる構成に、外ノズルの開口端の内壁に密着可能な第１インナーリングを蓋体の下面に設けたことを加えた構成では、蓋体と外ノズルとの被嵌した部分からの内容物の漏れを確実に防止することができる。
【００４５】
また本発明の主たる構成に、蓋体を閉蓋状態とすることによりノズル本体内に予備室を形成して内容物の計量を可能とする計量モードと、蓋体を半開き状態とすることにより容器本体内の内容物の直接注出を可能とする直接注出操作モードと、蓋体をさらに大きく開いた全開状態とすることにより、内ノズルが閉栓されて予備室内に貯蔵された内容物のみの注出を可能とする計量注出操作モードとを有することを加えた構成では、蓋体の開閉状態を３段階に調整することにより、内容物の計量及び貯留、内容物の直接注出、あるいは計量注出を確実に行うことができる。
【００４６】
また上記構成に、蓋体の姿勢を、半開き状態に保持する保持手段を備えることを加えた構成では、蓋体の姿勢を半開き状態に容易に保持することが可能となり、内容物の直接注出を容易とすることができる。
【００４７】
また上記構成に、保持手段を、外ノズルの開口端と、第１インナーリングのヒンジ側となる位置に形成され且つ開口端が掛合する掛合凹部とにより構成したことを加えた構成では、より簡単な構成によって蓋体を半開き状態に保持することが可能となるため、特に直接注出操作における内容物の注出操作を確実に行うことができる。
【００４８】
また上記構成に、ヒンジ側となる第１インナーリングの先端に、外ノズルの開口端に当接する支持部を設けたことを加えた構成では、蓋体の姿勢を全開状態に維持すること及び中栓による内ノズルの閉栓を維持することができるため、特に定量注出操作における内容物の注出を確実に行うことができる。
【００４９】
また本発明の主たる構成に、接続部を、容器本体の口筒部又は口筒部に装着される容器側蓋体の注出部に対してネジ結合又はア容易ンダーカット結合により組み付く構成としたことを加えた構成では、注出ノズルの容器本体の口筒部又は口筒部に装着される容器側蓋体の注出部への取り付けを容易且つ確実に行うことができる。
【００５０】
また上記構成に、接続部を、内面にネジ溝又は係止凸部を備えた外壁部と、外壁部の内側に口筒部又は注出部の内壁に密着する第２インナーリングとを備えることを加えた構成では、注出ノズルと容器本体の口筒部又は口筒部に装着される容器側蓋体の注出部との接続部分での内容液の漏れを確実に防止することができる。
【００５１】
また本発明の主たる構成に、少なくとも蓋体、内ノズル及び外ノズルを、透明又は半透明の樹脂材料で形成したことを加えた構成では、外部からノズル本体内の様子を視覚的に確認することが可能となり、直接注出時における容器本体の傾斜角度の調整を容易となり、あるいは定量注出時における各操作が容易となるため、内容液を確実に注出することができる。
【図面の簡単な説明】
【００５２】
【図１】本発明の実施例としての計量器付き注出ノズルを示し、Ａはノズル本体を蓋体で閉栓した閉蓋状態を示す注出ノズルの断面図、Ｂは注出ノズルの平面図である。
【図２】図１のＩＩ−ＩＩ線における矢視方向断面図である。
【図３】蓋体を半分ほど開いた半開き状態を示す注出ノズルの正面側断面図である。
【図４】蓋体を全開させ中栓によって内ノズルを閉栓した状態を示す注出ノズルの断面図である。
【図５】注出ノズルを正立姿勢の容器本体の口筒部に組み付けた状態を示す注出ノズルの断面図である。
【図６】通常の使用状態（直接注出）として傾斜姿勢を示す容器本体と注出ノズルとの断面図である。
【図７】定量注出の初期操作として倒立姿勢を示す容器本体と注出ノズルとの断面図である。
【図８】定量注出の中期操作として正立姿勢を示す容器本体と注出ノズルとの断面図である。
【図９】定量注出の終期操作として傾斜姿勢を示す容器本体と注出ノズルとの断面図である。
【図１０】従来例としての定量栓体を示す断面図である。
【発明を実施するための形態】
【００５３】
以下、本発明の実施の形態について図面を参照しつつ説明する。
【００５４】
図１は本発明の実施例としての計量器付き注出ノズルを示し、Ａはノズル本体を蓋体で閉栓した閉蓋状態を示す注出ノズルの断面図、Ｂは注出ノズルの平面図、図２は図１のＩＩ−ＩＩ線における矢視方向断面図、図３は蓋体を半分ほど開いた半開き状態を示す注出ノズルの正面側断面図、図４は蓋体を全開させ中栓によって内ノズルを閉栓した状態を示す注出ノズルの断面図である。
【００５５】
本発明の注出ノズル１０は、例えば液状、粉状、粒状等などの内容物を収容した容器本体１に取り付けられ、内容物を一定量ごとに（定量注出）、あるいは必要な量だけ自由に注出（直接注出）するためのものであり、主として合成樹脂を射出成形して成るノズル本体１１と蓋体２０とから構成されている。
【００５６】
図１Ａ及び図２に示すように、ノズル本体１１は、内側に設けられた内ノズル１３と外側に設けられた外ノズル１４とを有する二重筒構造である。内ノズル１３と外ノズル１４とは共通の基部１１ａを有しており、内ノズル１３は基部１１ａから先端１３ａに向かって縮径する縮径円筒状であり、外ノズル１４は内ノズル１３よりも大きい一定の径寸法かなる円筒形状である。内ノズル１３の高さ方向の全長は外ノズル１４の全長よりも短い１／２程度の寸法で形成されている。そして、内ノズル１３の内部には流路１５が形成され、内ノズル１３と外ノズル１４とが径方向に向き合う空間には計量室１６が設けられている。
【００５７】
外ノズル１４の先端には、外径方向に湾曲するカール状の開口端１４ａが設けられている。外ノズル１４の外周面上で且つ開口端１４ａよりも下の位置には、外径方向に突出するフランジ１４ｂが形成されており、このフランジ１４ｂの一箇所には合成樹脂を肉薄状に成形することにより形成されたヒンジ１９が設けられている。このヒンジ１９の先端には後述する蓋体（ヒンジキャップ）２０が回動自在に支持されている。
【００５８】
図１Ａ，Ｂ及び図２に示すように、蓋体２０は円板状の頂壁２０Ａと、その外周縁に垂下設されたスカート部２０Ｂと、ヒンジ１９と軸対称の位置に設けられた取っ手２０Ｃとを有して構成されている。取っ手２０Ｃを摘んでヒンジ１９を中心に蓋体２０を図示時計回り方向に回動させると、スカート部２０Ｂが開口端１４ａに冠着し、外ノズル１４先端である開口端１４ａを蓋体２０で被嵌することができ（閉蓋状態）、図示反時計回り方向に回動させてスカート部２０Ｂを開口端１４ａから離脱させることにより蓋体２０による被嵌を解除すること（開蓋状態）が可能となっている（図３及び図４参照）。すなわち、蓋体２０は外ノズル１４の開口端１４ａに対して開閉自在に設けられている。
【００５９】
そして、図１Ａ及び図２に示すように蓋体２０を閉蓋状態とすることにより、外ノズル１４の開口端１４ａ側の空間、すなわち頂壁２０Ａの内面と内ノズル１３の先端１３ａとが対向し合う空間に内容物を計量して貯蔵する予備室１７が形成され（計量モード）、図３及び図４に示すように蓋体２０を開蓋状態とすることにより、外ノズル１４先端である開口端１４ａが外部に露出される。
【００６０】
図１Ａ及び図２に示すように、蓋体２０の頂壁２０Ａの下面には、開口端１４ａよりも径寸法を若干小さくし且つ肉薄に形成した第１インナーリング２１が一体に形成されており、閉蓋状態では第１インナーリング２１が開口端１４ａの内壁に密着することにより、内容物の漏れを防止することが可能となっている。この第１インナーリング２１は径方向に弾性変形可能であり、ヒンジ１９側の長さ寸法は取っ手２０Ｃ側よりも長い嵩高状に形成されている。図４に拡大して示すように、ヒンジ１９側となる第１インナーリング２１の外周面には凹状の掛合凹部２１ａが形成され、第１インナーリング２１の下端には支持部２１ｂが形成されている。
【００６１】
図３に示すように、蓋体２０を図示反時計回り方向に回動させると、蓋体２０の姿勢は、第１インナーリング２１の掛合凹部２１ａと外ノズル１４の開口端１４ａとが掛合して半開き状態が保持される。この点で、掛合凹部２１ａと外ノズル１４の開口端１４ａとは、蓋体２０の姿勢を半開き状態に保持する保持手段として機能している。そして、図４に示すように、さらに蓋体２０を図示反時計回り方向に回動させると、掛合凹部２１ａと外ノズル１４の開口端１４ａとの掛合が外れ、第１インナーリング２１の支持部２１ｂが外ノズル１４の開口端１４ａに当接して支持するため、蓋体２０の姿勢が全開状態に設定されることになる。
【００６２】
蓋体２０とノズル本体１１とが対向する空間には、蓋体２０が閉蓋状態及び半開き状態にあるときには中栓３４による内ノズル１３を開放し、蓋体２０が全開状態にあるときには中栓３４が内ノズル１３を閉栓する連動手段３０が設けられている。
【００６３】
連動手段３０は、以下に説明する支持受け部材３１，３１及び連結部材３２から構成される。すなわち、図２に示すように、頂壁２０Ａの下面側の中心には、一定の隙間寸法を有して平行に延びる一対の支持受け部材３１，３１が垂下設されている。支持受け部材３１，３１の下端部には支持穴３１ａ，３１ａがそれぞれ穿設されており、この支持穴３１ａ，３１ａ内には長尺状の連結部材３２の上端に形成された回転軸３２ａ，３２ａが挿入され、連結部材３２が揺動自在に軸支されている。連結部材３２の下端には中栓３４が一体に形成されており、中栓３４は内ノズル１３内側の流路１５内に配置されている。
【００６４】
中栓３４は有底カップ状の栓を倒立させた形状である。すなわち、上端に頂壁３４ａを設けて下端を開放し、下端から上端にかけて縮径状に形成してある。頂壁３４ａの径寸法は、内ノズル１３の先端１３ａの径寸法に等しく設定されており、内ノズル１３を内部から嵌合可能となっている。中栓３４は内ノズル１３内にあって、流路１５に沿って進退可能となっている。なお、連結部材３２と中栓３４との連結部には連結部材３２を部分的に肉薄状に形成した肉薄部３２ｂが形成されており、中栓３４はこの肉薄部３２ｂを基点に径方向に弾性変形し易くなっている。このため、中栓３４は内ノズル１３との間の摺動摩擦が軽減されてスムーズに移動することが可能となり、内ノズル１３を確実に閉栓することが可能である。
【００６５】
図１Ａ及び図２に示すように、蓋体２０が閉蓋した状態では中栓３４が内ノズル１３から離れた位置にあり、内ノズル１３は開放状態にある。また図３に示すように、蓋体２０が半開きの状態では、蓋体２０が上方に回動する分だけ支持受け部材３１及び連結部材３２が上方に移動することから流路１５内の中栓３４も上方に移動することになるが、未だ蓋体２０は開放状態にある。そして、図４に示すように、蓋体２０が全開した状態になると、さらに上方に移動した中栓３４が内ノズル１３の内側から先端１３ａに嵌合して塞ぐため、内ノズル１３（流路１５）が閉栓状態に設定される。
【００６６】
このように、支持受け部材３１，３１及び連結部材３２は、蓋体２０による外ノズル１４の開閉操作に連動して中栓３４による内ノズル１３の開閉を行う連動手段３０としての機能を有している。
【００６７】
接続部１２は基部１１ａの下部に形成されており、外側に設けられた円筒状の外壁部１２ａと、内側に設けられた第２インナーリング１２ｂによる二重円筒構造であり、外壁部１２ａの内面にはネジ溝１２ｃが螺設されている。
【００６８】
次に、上記構成から成る注出ノズルの容器本体への取り付けについて説明する。
【００６９】
図５は注出ノズルを正立姿勢の容器本体の口筒部に組み付けた状態を示す注出ノズルの断面図である。
【００７０】
図５に示すように、この実施例に示す容器本体１の口筒部２には、容器本体１を密封する容器側蓋体３が設けられている。この容器側蓋体３は，口筒部２側に装着される蓋本体３Ａと、この蓋本体３Ａを封止するネジキャップ（図示せず）により構成されており、図示しないネジキャップが蓋本体３Ａ先端の注出部３ａの外周面に形成されたネジ溝３ｂに螺着することにより、容器本体１の口筒部２を間接的に密封する構成である。なお、口筒部２と蓋本体３Ａとは、口筒部２側の外面に設けた係止凸部２ａと蓋本体３Ａの内面に設けた係止凸部３ｃとが互いにアンダーカット結合することにより組み付く構成である。
【００７１】
注出ノズル１０の容器本体１への取り付けは、まず容器本体１からネジキャップを取り外して注出部３ａを露出させる。そして、注出ノズル１０側のネジ溝１２ｃを注出部３ａのネジ溝３ｂに螺合（ネジ結合）させ、接続部１２を構成する外壁部１２ａと第２インナーリング１２ｂとの間に注出部３ａを位置させることにより、注出ノズル１０を容器本体１側の蓋本体３Ａに組み付ける。この際、注出ノズル１０側の第２インナーリング１２ｂが注出部３ａの内壁に密着するため、注出部３ａと接続部１２との間における内容物４０の漏れを確実に防止することが可能となる。
【００７２】
なお、注出ノズル１０の容器本体１への取り付けは、蓋体２０を外ノズル１４に被嵌した閉蓋状態で行うこともできるし、蓋体２０を開けた開蓋状態で行うこともできる。
【００７３】
次に、注出ノズルが接続された容器本体の注出について説明する。
【００７４】
図６は通常の使用状態（直接注出）として傾斜姿勢を示す容器本体と注出ノズルとの断面図、図７は定量注出の初期操作として倒立姿勢を示す容器本体と注出ノズルとの断面図、図８は定量注出の中期操作として正立姿勢を示す容器本体と注出ノズルとの断面図、図９は定量注出の終期操作として傾斜姿勢を示す容器本体と注出ノズルとの断面図である。
【００７５】
（１）直接注出操作モード
注出ノズル１０を容器本体１に組み付け且つ容器本体１を正立姿勢とした図５に示す状態から蓋体２０を開いて半開き状態（図３参照）にする。この半開き状態では、中栓３４は内ノズル１３に嵌合しておらず開栓状態にある。続いて、容器本体１を傾けて図６に示す傾斜姿勢にする。すると、容器本体１内に収容されていた内容物４０が、容器本体１側の口筒部２及び注出部３ａ、注出ノズル１０側の第２インナーリング１２ｂ及び流路１５を介して内ノズル１３内の先端１３ａから外ノズル１４に達する。よって、容器本体１の傾き角度を調整することにより、好みに応じた量の内容物４０を外ノズル１４の先端である開口端１４ａを通じて外部に注出することができる（直接注出）。
【００７６】
（２）定量注出操作モード
注出ノズル１０を閉蓋状態（計量モード）とし且つ容器本体１を正立姿勢とした図５に示す状態から、容器本体１を図７に示す倒立姿勢、あるいは傾斜姿勢とする。これにより、容器本体１内に収容されている内容物４０は内ノズル１３内の流路１５を通じて外ノズル１４先端の開口端１４ａ側に導かれ、予備室１７内に貯留される（初期操作）。
【００７７】
次に、図８に示すように、容器本体１を元の正立姿勢に戻すと、予備室１７内に貯留されていた内容物４０の一部は計量室１６に移動して計量室１６を満たす。同時に、計量室１６の容積をオーバーする過剰の内容物４０は、内ノズル１３の先端１３ａから流路１５を介して容器本体１内に戻るため、計量室１６内に一定量の内容物４０のみを残留させることができる（中期操作）。
【００７８】
そして、取っ手２０Ｃを持ち上げ、蓋体２０の姿勢を全開状態に設定する（図４参照）。この際、中栓３４が連動手段３０を介して移動して内ノズル１３の先端１３ａに嵌合するため、内ノズル１３を閉栓状態に設定する。
【００７９】
続いて、図９に示すように容器本体１を傾けて傾斜姿勢にすることにより、計量室１６内に残留している一定量の内容物４０を、開口端１４ａを通じて外部に注出することができる（終期操作）。この状態では、ヒンジ１９側において支持部２１ｂが開口端１４ａに当接して蓋体２０の姿勢を支持する。このため、蓋体２０の姿勢を全開状態に設定することができ、操作中に蓋体２０が誤って閉蓋状態に至ることがなく、定量注出操作をスムーズに行うことができる。
【００８０】
このように本発明の注出ノズル１０では、内ノズル１３を閉栓した状態で内容物４０の定量注出を行うことができるため、従来のように定量注出時に、計量室１６内に残留した内容物４０と容器本体１側に収納されている内容物４０とが一緒に注出してしまう不具合を防止することができる。したがって、本発明では容器本体１の傾き角度の影響を受けることなく、内容物４０の定量注出を常に高精度で行うことが可能である。
【００８１】
以上、実施例に沿って本発明の構成とその作用効果について説明したが、本発明の実施の形態は上記実施例に限定されるものではない。
【００８２】
例えば、上記実施例では、注出ノズル１０を容器側蓋体３の蓋本体３Ａの注出部３ａに取り付ける構成を示して説明したが、本発明は上記実施例に限定されるものではなく、容器本体１の口筒部２に直接的に取り付ける構成であってもよい。
【００８３】
また接続部１２は口筒部２に対してネジ機構により螺着する構成を示して説明したが、本発明は上記実施例に限定されるものではなく、口筒部２と蓋本体３Ａとにおける構成同様に、注出ノズル１０の接続部１２が容器本体１の口筒部２に対してアンダーカット結合することにより組み付く構成であってもよい。
【００８４】
また上記実施例では注出ノズル１０を形成する樹脂材料については特に言及していないが、少なくとも蓋体２０、ノズル本体１１を構成する内ノズル１３及び外ノズル１４を透明又は半透明の樹脂材料を用いて形成する構成が好ましい。この構成では、外部からノズル本体１１内の様子を視覚的に確認することができるため、直接注出時における容器本体の傾斜角度の調整を容易とし、あるいは定量注出時における各操作（初期操作、中期操作及び終期操作）を容易とすることができるため、内容液を確実に注出することができる。
なお、透明又は半透明の樹脂材料を用いる部材は、蓋体２０、内ノズル１３及び外ノズル１４に限られるものではなく、中栓３４や連動手段３０を構成する支持受け部材３１及び連結部材３２ｂについても透明又は半透明とする構成であってもよい。
【産業上の利用可能性】
【００８５】
本発明の注出ノズルは、市販の容器本体に装着した状態での直接注出と定量注出との選択的な注出を達成し、さらには高精度の定量注出を追及する注出ノズルの分野における用途展開を広い領域で図ることができる。
【符号の説明】
【００８６】
１    ：  容器本体
２    ：  口筒部
２ａ  ：  係止凸部
３    ：  容器側蓋体
３Ａ  ：  蓋本体
３ａ  ：  注出部
３ｂ  ：  ネジ溝
３ｃ  ：  係止凸部
１０  ：  注出ノズル
１１  ：  ノズル本体
１１ａ：  基部
１２  ：  接続部
１２ａ：  外壁部
１２ｂ：  第２インナーリング
１２ｃ：  ネジ溝
１３  ：  内ノズル
１３ａ：  内ノズルの先端
１４  ：  外ノズル
１４ａ：  開口端
１５  ：  流路
１６  ：  計量室
１７  ：  予備室
１９  ：  ヒンジ
２０  ：  蓋体
２０Ａ：  頂壁
２０Ｂ：  スカート部
２０Ｃ：  取っ手
２１  ：  第１インナーリング
２１ａ：  掛合凹部
２１ｂ：  支持部
３０  ：  連動手段
３１  ：  支持受け部材
３２  ：  連結部材
３２ａ：  回転軸
３２ｂ：  肉薄部
３４  ：  中栓
３４ａ：  頂壁
４０  ：  内容物
【図１】
2014148321.tif 000003
【図２】
2014148321.tif 000004
【図３】
2014148321.tif 000005
【図４】
2014148321.tif 000006
【図５】
2014148321.tif 000007
【図６】
2014148321.tif 000008
【図７】
2014148321.tif 000009
【図８】
2014148321.tif 000010
【図９】
2014148321.tif 000011
【図１０】
2014148321.tif 000012